(57)【特許請求の範囲】
【請求項１】
第１の面に金属薄膜層が設けられ透光性を有しマジックミラーとして機能する板状部と、前記板状部の第２の面を発光させる照明部とを備えるマジックミラーユニットにおいて、
前記照明部は、発光ダイオード（ＬＥＤ）を用いた照明体を前記板状部の端面に対面させて配置し、前記板状部の端面から前記板状部内に光を照射する照明体と、前記第２の面に、反射粒子による斑点の径が、最上部では直径が１ｍｍ程度であり、下部になるにしたがって大きくなり最下部では２ｍｍ程度であり、該斑点の間隔は、上部で２ｍｍ程度であり、下部になるにしたがって間隔が狭くなり０．５ｍｍ程度になるように配置され、入光した光を拡散させて前記第２の面を発光させる拡散部とを含むマジックミラーユニット。
【請求項２】
前記の拡散部は、第２の面に光を拡散する反射粒子が分散された透光性シート層が形成されていることを特徴とする請求項１に記載のマジックミラーユニット。
【請求項３】
第１の面に金属薄膜層が設けられ透光性を有しマジックミラーとして機能する板状部と、前記板状部の第２の面を発光させる照明部と、を有する請求項１又は請求項２のいずれか１項に記載のマジックミラーユニットを備える窓構造。
【請求項４】
第１の面に金属薄膜層が設けられ透光性を有しマジックミラーとして機能する板状部と、前記板状部の第２の面を発光させる照明部と、を有する請求項１又は請求項２のいずれか１項に記載のマジックミラーユニットを備える手摺。
【発明の詳細な説明】
【技術分野】
【０００１】
本発明は、マジックミラーユニットと、このマジックミラーユニットを用い、建物内空間からの景観の確保と建物外空間からの覗き見防止とを実現する窓構造と、この窓構造を採用し建物のベランダ等に適用される手摺とに関する。
【背景技術】
【０００２】
従来、マジックミラー（明るい側からは鏡のように見え、暗い側から見ると透過しているように見えるビームスプリッター）を用いた窓構造に関する発明が、種々開示されている。
【０００３】
一例として、特許文献１には、窓枠に嵌め込まれたハーフミラー等の透明板状体の室外側に窓枠の上下ないし左右にかけて照明装置を設け、照明装置からの光を反射して照明を均一なものにする反射体を室外側に設けることが記載されている。特許文献１によれば、室外側から室内を見た場合に室内が見えることはなく、室内側から外部を見た場合には夜間においても室内から室外の様子が見えることになる、とされる。
【０００４】
別の一例として、特許文献２には、透明のガラス基板や樹脂基板の片面に金属薄膜層を形成してハーフミラーとすること、この金属薄膜層の表面に光拡散粒子を分散させた半透明で強靭な樹脂製結像シートを貼着積層して窓用の採光面材料とすること、及び、樹脂製結像シートを室内側としてこの採光面材料を用いることが記載されている。特許文献２によれば、室外側が相対的に明るい昼間においては、透明のガラス基板（又は樹脂基板）と金属薄膜層とがハーフミラーとして機能し、室外側が相対的に暗くなる夜間においては、樹脂製結像シートがブラインドとして機能し室外からの視線を遮断する、とされる。
【０００５】
さらに別の一例として、特許文献３には、戸建てや集合住宅に用いられるベランダや窓際の手摺り柵に、ハーフミラーフィルムを蒸着させた回転開閉式羽根部を複数並列に設けたものが示されている。特許文献３には、この手摺り柵に関して、柵としての安全性を確保しながら内部からの可視性と採光性を保持すること、及び、外部からの視認を阻害し、風の流入と遮断を必要に応じて対応させることが記載されている。
【先行技術文献】
【特許文献】
【０００６】
【特許文献１】実開平０６−００１６９１号公報
【特許文献２】特開２０１０−００１６２８号公報
【特許文献３】実用新案登録第３０９３９９７号公報
【発明の概要】
【発明が解決しようとする課題】
【０００７】
特許文献１に記載の窓では、照明装置が、透明板状体の中央部に位置している。このため、室内側から透明板状体を通して室外側を見通す場合、窓の中心部を見通せず、見通しが悪い。また、照明装置のコストやメンテナンスの問題も生じる。
【０００８】
特許文献２に記載の採光用材料は、昼間にハーフミラーとして機能し、採光用材料が外部側から内部側の覗き見を防ぐ。しかしながら、内部側から外部側を見通す場合、採光用材料に含まれる結像シートによって、見通しが悪くなる。
【０００９】
特許文献３に記載のベランダ手摺り柵では、通気のために並列する短冊状の羽根部を回転させると、隙間が生じ、この隙間から内部側が見えてしまう。
【００１０】
本発明は、上記の点を鑑みてなされたものであり、日中及び夜間のいずれにおいても、室内空間からの眺望景観の確保と室外空間からの覗き見防止とを実現することを目的とする。
【課題を解決するための手段】
【００１１】
本発明の請求項１のマジックミラーユニットは、第１の面に金属薄膜層が設けられ透光性を有しマジックミラーとして機能する板状部と、前記板状部の第２の面を明るくする照明部とを備えるマジックミラーユニットにおいて、前記照明部は、前記板状部の端面から前記板状部内に光を照射する照明体と、前記第２の面に配置され、光を拡散させる拡散部とを含むマジックミラーユニットを備える。
【００１２】
削除
【００１３】
削除
【００１４】
本発明の請求項２のマジックミラーユニットは、前記の照明体は、発光源として発光ダイオード（ＬＥＤ）を用いたことを特徴とするものである。
【００１５】
本発明の請求項３のマジックミラーユニットは、前記の拡散部は、第２の面に光を拡散する反射粒子が分散された透光性シート層が形成されていることを特徴とするものである。
【００１６】
削除
【００１７】
本発明の請求項４のマジックミラーユニットは、前記の拡散部は、第２の面の表面に所定の間隔で透光性の突起部が形成されていることを特徴とするものである。
【００１８】
本発明の請求項５のマジックミラーユニットは、前記の拡散部は、第２の面の表面に所定の間隔で光を拡散する斑点模様が印刷されていることを特徴とするものである。
【００１９】
本発明の請求項６のマジックミラーユニットは、前記照明部は、蓄光材を含み前記第２の面に配置される蓄光部を含むことを特徴とするものである。
【００２０】
本発明の請求項７のマジックミラーユニットは、前記照明部は、前記第２の面に配置される有機ＥＬ照明板を含むことを特徴とするものである。
【００２１】
本発明の請求項８の窓構造は、上記のマジックミラーユニットを備える。
【００２２】
本発明の請求項９の手摺は、上記のマジックミラーユニットを備える。
【発明の効果】
【００２３】
本発明によれば、以下の効果を奏する。
１）室内空間と室外空間とを仕切る箇所にマジックミラーユニットを設置した場合、日中のように室内空間が室外空間より暗い場合に板状部はマジックミラーとして機能し、夜間のように室内空間が室外空間より明るい場合にも照明部を用いて第２の面を明るくし、板状部にマジックミラーとしての機能を発揮させることができる。したがって、日中及び夜間のいずれにおいても、室内空間からの眺望景観の確保と室外空間からの覗き見防止とを実現できる。
【００２４】
２）通常のライトではなく、ＬＥＤ灯を使用するので、ランニングコストが安価である。
【００２５】
３）ＬＥＤ灯を使用するので、耐久性が良く、また、小型軽量でありメンテナンスが容易である。
【００２６】
４）夜間のライトアップとなるので、窓や手すりに使用すると、景観が良くなる。
【００２７】
５）ＬＥＤ照明をミラーガラスの内部に入光して乱反射により表面全体を光らせることができる。
【００２８】
６）蓄光材を用いると、光源における電源が不要となる。
【００２９】
７）有機ＥＬを用いると、ハーフミラー全体を直接光らせることができる。
【図面の簡単な説明】
【００３０】
【図１】第一の実施の形態における、マジックミラーユニットを断面視で見た模式図である。
【図２】第二の実施の形態における、窓構造を室外空間側から見た模式図である。
【図３】第三の実施の形態における、手摺を室外空間側から見た模式図である。
【図４】第四の実施の形態における、マジックミラーユニットを断面視で見た模式図である。
【図５】第五の実施の形態における、マジックミラーユニットを断面視で見た模式図である。
【図６】第六の実施の形態における、マジックミラーユニットを断面視で見た模式図である。
【発明を実施するための形態】
【００３１】
実施の一形態を、図１に基づいて説明する。説明の便宜上、本実施の形態を第一の実施の形態と呼ぶ。
【００３２】
図１は、マジックミラーユニット１０１を断面視で見た模式図である。マジックミラーユニット１０１は、板状部２０１と、照明部３０１とを有する。
【００３３】
板状部２０１は、透光性を有する板状の基材２０２を有する。図示はしないが、基材２０２は、図１の右側又は左側から見て、矩形状に形成される。基材２０２には、ソーダガラス等のガラス素材、アクリル樹脂、ポリカーボネート、ポリ塩化ビニル等を用いることができる。基材２０２は、無色透明であっても有色透明であってもよい。基材２０２の一方の面（第１の面２０２ａ）には、金属薄膜層２０３が積層される。金属薄膜層２０３は、アルミニウムや銀等の光線反射率の高い金属によって、所定の光線透過率（光線反射率）を有するように設けられた薄膜層である。金属薄膜層２０３は、蒸着やコーティングによって基材２０２の第１の面２０２ａに形成される。
【００３４】
基材２０２と金属薄膜層２０３とは、いわゆるマジックミラーＭを構成する。マジックミラーＭが明るい空間と暗い空間とを仕切る箇所に配置される場合、明るい空間からマジックミラーＭを見る人には、マジックミラーＭに映ったその人自身の像が見える。また、明るい空間からマジックミラーＭを見る人は、このマジックミラーＭ越しに明るい空間を見ることができる。
【００３５】
照明部３０１は、板状部２０１の上部に配置される。照明部３０１は、照明体３０２と、ハウジング３０３と、制御回路（図示せず）とを有する。照明体３０２には、ＬＥＤ照明（発光ダイオード）、より好ましくは直管蛍光灯型のＬＥＤ照明が用いられる。なお、照明体３０２に用いられる光源には、ＬＥＤ照明以外の種々のものを用いることができる。また、制御回路は、外部電源から給電される電力を照明体３０２に供給して照明体３０２を点灯させたり、この電力を遮断して照明体３０２を消灯させたりする。
【００３６】
ハウジング３０３は、取付部３０４と、迫出部３０５とを有する。取付部３０４は、板状部２０１の上部に取付けられる。迫出部３０５は、取付部３０４から、基材２０２における金属薄膜層２０３とは反対の面（第２の面２０４）の側に迫り出す。迫出部３０５には、照明体３０２が収納される。照明体３０２は、基材２０２の第２の面２０４を照らす。
【００３７】
マジックミラーユニット１０１は、室内空間Ｖ１と室外空間Ｖ２とを仕切る箇所に設けられる。このとき、照明体３０２は、室外空間Ｖ２に配置される。
【００３８】
第１の場合として、室内空間Ｖ１が室外空間Ｖ２より暗い場合（例えば、日中）を考える。この場合、室内空間Ｖ１にいる人はマジックミラーユニット１０１の板状部２０１を通して室外空間Ｖ２を視認できる。一方、室外空間Ｖ２にいる人はマジックミラーユニット１０１の板状部２０１を通して室内空間Ｖ１を視認できない。即ち、第１の場合には、照明体３０２を点灯させなくても、室内空間Ｖ１からの眺望景観の確保と室外空間Ｖ２からの覗き見防止とが実現される。
【００３９】
第２の場合として、室内空間Ｖ１が室外空間Ｖ２より明るい場合（例えば、夜間）を考える。この場合、照明体３０２を点灯して第２の面２０４を明るくすることにより、室内空間Ｖ１側から室外空間Ｖ２内を視認できるようになり、室外空間Ｖ２側から室内空間Ｖ１内が視認できなくなる。即ち、第２の場合には、照明体３０２を点灯させることで、室内空間Ｖ１からの眺望景観の確保と室外空間Ｖ２からの覗き見防止とが実現される。
【００４０】
このように、本実施の形態のマジックミラーユニット１０１では、照明体３０２を点灯して第２の面２０４を明るくし、夜間であっても、板状部２０１にマジックミラーＭとしての機能を発揮させることができる。従って、日中及び夜間のいずれにおいても、室内空間Ｖ１からの眺望景観の確保と室外空間Ｖ２からの覗き見防止とが実現される。
【００４１】
さらに、本実施の形態のマジックミラーユニット１０１によれば、室内空間Ｖ１から室外空間Ｖ２を見るときに、照明部３０１が視界を遮らない。
【００４２】
さらに、本実施の形態のマジックミラーユニット１０１にＬＥＤ照明が採用されている。このため、消費電力が少なく電気代は非常に安価になる。また、耐久性が良くメンテナンスの手間が大幅に減少する。
【００４３】
別の実施の形態を、図２に基づいて説明する。説明の便宜上、本実施の形態を第二の実施の形態と呼ぶ。ここで、前述した第一の実施の形態と同一の部分には同一の符号を付し、説明を省略する。本実施の形態は、第一の実施の形態のマジックミラーユニットを窓構造に用いた適用例である。
【００４４】
図２は、窓構造４０１を室外空間Ｖ２側から見た模式図である。窓構造４０１は、壁部４０２と、マジックミラーユニット１０１（第一の実施の形態を参照）とにより構成される。壁部４０２は、室内空間Ｖ１側（図２における紙面奥側）と、室外空間Ｖ２側（図２における紙面手前側）とに仕切る箇所に設けられる。壁部４０２には、室内空間Ｖ１側と室外空間Ｖ２側とを連通する矩形状の孔部Ｈが設けられる。壁部４０２には、この孔部Ｈの縁に沿うように、窓枠部４０３が設けられる。窓枠部４０３には、マジックミラーユニット１０１が嵌め込まれる。このとき、照明部３０１は、窓枠部４０３の上縁部に沿って配置される。また、金属薄膜層２０３は室内空間Ｖ１側に向けられる。これにより、ハウジング３０３の迫出部３０５は、壁部４０２から室外空間Ｖ２側に向けて突出する。
【００４５】
このように、本実施の形態の窓構造４０１では、照明体３０２を点灯して室外空間Ｖ２側（第２の面２０４）を明るくし、夜間であっても、板状部２０１にマジックミラーＭとしての機能を発揮させることができる。従って、日中及び夜間のいずれにおいても、室内空間Ｖ１からの眺望景観の確保と室外空間Ｖ２からの覗き見防止とが実現される。
【００４６】
別の実施の形態を、図３に基づいて説明する。説明の便宜上、本実施の形態を第三の実施の形態と呼ぶ。ここで、これまでに述べた実施の形態と同一の部分には同一の符号を付し、説明を省略する。本実施の形態は、第一の実施の形態のマジックミラーユニットを手摺（ベランダ手摺）に用いた適用例である。
【００４７】
図３は、手摺５０１を室外空間Ｖ２側から見た模式図である。手摺５０１は、戸建住宅やマンション等の建物から迫り出しているベランダ（図示せず）を構成する。ベランダは、床部５０２と、床部５０２から立設する手摺５０１とを有する。建物の出入口から出た住人は、床部５０２の上に滞留できる。手摺５０１は、床部５０２の上に滞留する住人のベランダからの落下を防ぐ。
【００４８】
手摺５０１は、壁部５０３と、複数のマジックミラーユニット１０１（第一の実施の形態を参照）とにより構成される。壁部５０３は、第二の実施の形態における壁部４０２に相当する。床部５０２は、壁部５０３から室内空間Ｖ１側（図３における紙面の奥側）に向けて水平に延びている。
【００４９】
壁部５０３には、室内空間Ｖ１側と室外空間Ｖ２側とを連通する矩形状の孔部Ｈが、水平方向に並んで複数設けられる。各孔部Ｈには、マジックミラーユニット１０１が嵌め込まれる。このとき、第二の実施の形態における窓構造４０１と同様に、照明部３０１は板状部２０１の上方に位置し、金属薄膜層２０３室内空間Ｖ１側に向けられ、ハウジング３０３の迫出部３０５は壁部４０２から室外空間Ｖ２側に向けて突出する。ここで、壁部５０３とマジックミラーユニット１０１との間に、窓枠部（第一の実施の形態を参照）を設けるようにしても良い。
【００５０】
このように、本実施の形態の手摺５０１では、照明体３０２を点灯して室外空間Ｖ２側（第２の面２０４）を明るくし、夜間であっても、板状部２０１にマジックミラーＭとしての効果を発揮させることができる。従って、日中及び夜間のいずれにおいても、室内空間Ｖ１からの眺望景観の確保と室外空間Ｖ２からの覗き見防止とが実現される。
【００５１】
別の実施の一形態を、図４に基づいて説明する。説明の便宜上、本実施の形態を第四の実施の形態と呼ぶ。本実施の形態は、マジックミラーユニットに関するものである。前述した第一の実施の形態と同一の部分には同一の符号を付し、説明を省略する。
【００５２】
図４は、マジックミラーユニット１０１Ａを断面視で見た模式図である。本実施の形態のマジックミラーユニット１０１Ａは、板状部２０１と、照明部３０１Ａとを有する。
【００５３】
照明部３０１Ａは、発光部３０１Ａａと、拡散部３０１Ａｂと、反射部３０１Ａｃとを含む。発光部３０１Ａａは、板状部２０１の上部に配置される。拡散部３０１Ａｂは、第２の面２０４に沿って配置される。反射部３０１Ａｃは、板状部２０１の下部に配置される。
【００５４】
発光部３０１Ａａは、照明体３０２と、ハウジング３０３Ａと、制御回路（図示せず）とを有する。ハウジング３０３Ａは、板状部２０１の上端面に取付けられ、照明体３０２を収納する。照明体３０２は、板状部２０１の上端面に対面させて配置される。
【００５５】
拡散部３０１Ａｂは、透光性を有するシート状のもので、第２の面２０４に貼着される。拡散部３０１Ａｂ内には、反射粒子３０６が、分散した状態で含まれる。反射粒子３０６には、例えば、銀粒子が採用される。照明体３０２から板状部２０１の上端面を通して基材２０２を通過し３０１Ａｂに入射された光Ｌは、反射粒子３０６により拡散される。
【００５６】
反射部３０１Ａｃは、板状部２０１の下端面に取付けられる。反射部３０１Ａｃには、例えば、平面鏡や凸面鏡が採用される。反射部３０１Ａｃは、板状部２０１の上端面から入射され基材２０２を通過し基材２０２の下端面まで到達した照明体３０２からの光Ｌを、上方に偏向する。反射部３０１Ａｃは、入射された光Ｌを拡散部３０１Ａｂに到達させるような向きに向けられる。
【００５７】
本実施の形態のマジックミラーユニット１０１Ａを用いる場合、室内空間Ｖ１が室外空間Ｖ２より明るい場合（例えば、夜間）に、照明体３０２を点灯する。照明体３０２から照射された光Ｌは、拡散して下方に照射され、一部は直接、拡散部３０１Ａｂに入り、反射粒子３０６によって拡散される。また、一部は、金属薄膜層２０３のマジックミラー面で反射し、拡散部３０１Ａｂに入り、拡散する。さらに一部は直接的に反射部３０１Ａｃで反射して拡散部３０１Ａｂに入り、拡散される。
【００５８】
これにより、第２の面２０４が明るくなり、夜間であっても、板状部２０１にマジックミラーＭとしての機能を発揮させ、室外空間Ｖ２側から室内空間Ｖ１側を視認できなくすることができる。
【００５９】
尚、本実施例では、拡散部３０１Ａｂは、透光性を有するシート状のものを用いたが、基材２０２の第２の面２０４側に、光を拡散するための反射粒子３０６を分散して固着したものでも良く、多数の細かな突起部を形成するようにしたものでも良い。基材２０２の表面処理や蒸着、印刷等で突起部を形成しても良い。
【００６０】
また、シルク印刷で透明色、白色、あるは銀色などの光を反射しやすい色を斑点状に印刷したものでも良い。
【００６１】
シルク印刷において、多数の斑点を形成する場合には、発光源に遠い部分は近い部分より斑点の大きさを大きくするか、あるいは斑点の間隔を狭くすると良い。さらに、拡散効果を高めるために、印刷する斑点の形状は、円形の他に多角形状や星形などの不定形としても良い。さらにまた、使用するインクにおいて、透明色に反射粒子を混在させたインクを使用しても良い。
【００６２】
また、本実施例では、基材２０２の第１の面２０２ａ側に金属薄膜層２０３を形成してマジックミラーＭとしているが、基材２０２の第１の面２０２ａ側にマジックミラー機能を有するフィルムを貼着したものでも良い。
【００６３】
このように、本実施の形態のマジックミラーユニット１０１Ａによれば、日中及び夜間のいずれにおいても、室内空間Ｖ１からの眺望景観の確保と室外空間Ｖ２からの覗き見防止とが実現される。
【００６４】
さらに、本実施の形態のマジックミラーユニット１０１Ａによれば、ハウジング３０３Ａが迫出部３０５（図１参照）を有さず、室内空間Ｖ１から板状部２０１を通して見た視界が一層広がる。また、迫出部３０５が無く、迫出部３０５と板状部２０１との間に汚れが溜まらない。さらに、迫出部３０５が破損するような事態も生じ得ない。
【００６５】
さらに、本実施の形態のマジックミラーユニット１０１Ａは、反射部３０１Ａｃを有している。このため、照明体３０２からの光Ｌが無駄なく拡散部３０１Ａｂに導かれ、第２の面２０４側が一層明るくなり、室外空間Ｖ２からの覗き見防止が一層確実になる。
【００６６】
別の実施の一形態を、図５に基づいて説明する。説明の便宜上、本実施の形態を第五の実施の形態と呼ぶ。本実施の形態は、マジックミラーユニットに関するものであって、第四の実施の形態に準ずるものである。第一の実施の形態又は第四の実施の形態と同一の部分には同一の符号を付し、説明を省略する。
【００６７】
図５は、マジックミラーユニット１０１Ｂを断面視で見た模式図である。本実施の形態のマジックミラーユニット１０１Ｂには、拡散部３０１Ａｂ（第四の実施の形態を参照）に代えて、蓄光部３０１Ｂｂが第２の面２０４に沿って配置される。
【００６８】
蓄光部３０１Ｂｂは、透光性を有するシート状のもので、第２の面２０４に貼着される。蓄光部３０１Ｂｂ内には、微粒子状の蓄光材３０７が、分散した状態で含まれる。蓄光
材３０７には、市販されている蓄光顔料を使用でき、例えば、根本特殊化学株式会社製の
高輝度長残光性蓄光顔料  Ｎ夜光（ルミノーバ）（登録商標）などが好ましい。蓄光材３０７には、板状部２０１の上端面を通過し基材２０２を通過した照明体３０２からの光Ｌが入射される。蓄光材３０７には、金属薄膜層２０３の反射面や基材２０２の下面の反射部３０１Ａｃにより偏向された照明体３０２からの光Ｌも入射される。さらに、蓄光材３０７には、照明体３０２からの光Ｌのみならず、室内空間Ｖ１や室外空間Ｖ２からの光（例えば、太陽光）も入射される。
【００６９】
本実施の形態のマジックミラーユニット１０１Ｂを用いる場合、照明体３０２を点灯し、照明体３０２からの光Ｌを直接的に、又は金属薄膜層２０３の反射面２０２ａ、又は反射部３０１Ａｃを経由して蓄光部３０１Ｂｂに入射させる。そして、室内空間Ｖ１が室外空間Ｖ２より明るくなっても、発光した蓄光部３０１Ｂｂにより第２の面２０４が明るくなる。これにより、第２の面２０４が明るくなり、夜間であっても、板状部２０１にマジックミラーＭとしての機能を発揮させ、これにより、室内空間Ｖ１側から室外空間Ｖ２側を視認できるようになり、室外空間Ｖ２側から室内空間Ｖ１内が視認できなくすることができる。なお、夜間において、照明体３０２を消灯しても点灯したままにしてもよい。
【００７０】
このように、本実施の形態のマジックミラーユニット１０１Ｂによれば、日中及び夜間のいずれにおいても、室内空間Ｖ１からの眺望景観の確保と室外空間Ｖ２からの覗き見防止とが実現される。
【００７１】
なお、昼間に太陽光を受ける等により蓄光部３０１Ｂｂに光が充分に入射される場合、マジックミラーユニット１０１Ｂに照明部３０１Ａを設けなくても良い。この場合、照明部３０１Ａの照明体３０２を点灯させるための電源が不要となる。
【００７２】
また、シート状の蓄光部３０１Ｂの中に、反射粒子３０６（第四の実施の形態を参照）を蓄光材３０７とともに混在させても良く、あるいは基材２０２の中に、蓄光材３０７（本実施の形態（第五の実施の形態）を参照）と反射粒子３０６（第四の実施の形態を参照）との両方を混在させてもよい。この場合、夜間においては、蓄光材３０７が発光して室外空間Ｖ２から室内空間Ｖ１を見通せなくなる。そして、昼間の天候不順等により蓄光材３０７に十分な蓄光ができなかった場合にも、照明体３０２を点灯させて、室外空間Ｖ２から室内空間Ｖ１を見通せなくすることができる。
【００７３】
別の実施の一形態を、図６に基づいて説明する。説明の便宜上、本実施の形態を第六の実施の形態と呼ぶ。本実施の形態は、マジックミラーユニットに関するものであって、基本的には第一の実施の形態に準ずるものである。第一の実施の形態と同一の部分には同一の符号を付し、説明を省略する。
【００７４】
図６は、マジックミラーユニット１０１Ｃを断面視で見た模式図である。本実施の形態のマジックミラーユニット１０１Ｃは、板状部２０１と、照明部３０１Ｃとを有する。
【００７５】
照明部３０１Ｃは、有機ＥＬ照明板３０８と、制御回路３０９とを有する。有機ＥＬ照明板３０８は、第２の面２０４に貼着される。制御回路３０９は、有機ＥＬ照明板３０８に加えられる電圧の制御を行う。有機ＥＬ照明板３０８は、電圧が印加されていないと透光を許容した状態となり、電圧が印加されると板全体が均等に光る。
【００７６】
本実施の形態のマジックミラーユニット１０１Ｃを用いる場合、室内空間Ｖ１が室外空間Ｖ２より明るい場合（例えば、夜間）に、制御回路３０９を用いて有機ＥＬ照明板３０８に電圧を印加する。これにより、有機ＥＬ照明板３０８の全体が光り、第２の面２０４が明るくなり、夜間であっても、板状部２０１にマジックミラーＭとしての機能を発揮させ、室外空間Ｖ２側から室内空間Ｖ１側を視認できなくすることができる。
【００７７】
図７は、マジックミラーユニット１０１Ｄを断面視で見た模式図である。本実施の形態のマジックミラーユニット１０１Ｄは、ガラス板部６００と、照明部３０１Ａとを有する。
【００７８】
照明部３０１Ａは、発光部３０１Ａａと、拡散部６０１と、反射部３０１Ａｃとを含む。発光部３０１Ａａは、板状部２０１の上部に配置される。拡散部６０１は、第２の面２０４の表面に配置される。反射部３０１Ａｃは、ガラス板部６００の下部に配置される。
【００７９】
発光部３０１Ａａは、ＬＥＤ発光体３０２Ａと、ハウジング３０３Ａと、制御回路（図示せず）とを有する。ハウジング３０３Ａは、板状部２０１の上端面に取付けられ、ＬＥＤ発光体３０２Ａを収納する。該ＬＥＤ発光体３０２Ａは、ガラス板部６００の上端面に対面させて配置される。
【００８０】
拡散部６０１は、光拡散粒子を斑点状に第２の面２０４に分散して固着されたものである。該光拡散粒子としては、ＬＥＤ光に対して光を拡散するものであればいずれでも良く、例えば、塗料、インク、ガラス製粒子、樹脂性粒子、アルミナ粒子、アルミ金属粒子、銀粒子などが使用できる。
【００８１】
本実施例の拡散部６０１は、ガラス板部６００の第２の面２０４の表面に白色インクにより、斑点を配置したものであり、直径１ｍｍ〜２ｍｍの円形の斑点を０．５ｍｍ〜２ｍｍ間隔で全体に分散してシルク印刷により形成したものである。
【００８２】
図８に拡散部６０１の光拡散粒子による斑点６０２の配置状況を示す。（斑点は白色であるが図面では黒色で示している。）斑点６０２の径は、最上部では直径が１ｍｍ程度であり、下部になるにしたがって大きくなり最下部では２ｍｍ程度となっている。また、斑点６０２の間隔についても、上部では、間隔が広く（２ｍｍ程度）、下部になるにしたがって間隔が狭く（０．５ｍｍ程度）なっている。
【００８３】
ＬＥＤ発光体３０２Ａから照射される光は、ガラス板部４００の上端面を通してその内部に入光し、Ｌ１の矢印に示すように、直接、第２の面２０４の表面に形成された拡散部６０１の光拡散粒子による斑点６０２により、拡散して室外空間Ｖ２側に発光する。
【００８４】
また、ＬＥＤ発光体３０２Ａから照射された光の一部は、Ｌ２の矢印に示すように、金属薄膜層２０３のマジックミラー面で反射し、第２の面２０４側に反射光として照射される。そして拡散部６０１の光拡散粒子による斑点６０２により拡散し、室外空間Ｖ２側が発光する。
【００８５】
さらにまた、ＬＥＤ発光体３０２Ａから照射された光の一部は、Ｌ３の矢印に示すように、直接、ガラス板部６００の底部に配置された反射部３０１Ａｃで第２の面２０４側に反射し、また、一部は上記の金属薄膜層２０３のマジックミラー面で反射し、拡散部６０１の光拡散粒子による斑点６０２で拡散し、室外空間Ｖ２側が発光する。
【００８６】
該反射部３０１Ａｃには、例えば、平面鏡や凸面鏡が採用される。また、反射部３０１Ａｃは、ＬＥＤ発光体３０２Ａからの光を、上方に偏向するとともに、入射された光を拡散部６０１に到達させるような向きに向けられる。
【００８７】
本実施の形態のマジックミラーユニット１０１Ｄを用いる場合、室内空間Ｖ１が室外空間Ｖ２より明るい場合（例えば、夜間）に、ＬＥＤ発光体３０２Ａを点灯する。
【００８８】
ＬＥＤ発光体３０２Ａから照射された光Ｌは、拡散して下方に照射され、直接または間接的に、拡散部６０１に入り、拡散し発光する。
【００８９】
これにより、第２の面２０４が明るくなり、夜間であっても、板状部２０１にマジックミラーＭとしての機能を発揮させ、室外空間Ｖ２側から室内空間Ｖ１側を視認できなくすることができる。
【００９０】
本実施の形態のマジックミラーユニット１０１Ｄを用い、図３に示す如く、手摺（ベランダ手摺）に用いたマンションのベランダ手すりにおいて、金属薄膜面４０２の内側面と第２の面２０４外側面の照度の違いをデジタル照度計（（株）マザーツール社製）で調べた結果を示す。
【００９１】
●マジックミラーユニットの仕様
白色ＬＥＤ  光束：0.61lm（ルーメン）
取り付けピッチ：１４ｍｍ
金属薄膜シート  厚さ：４６μｍ、日射反射率：４０％
ガラス板  フロート透明  板厚：８ｍｍ
拡散部  印刷処理  白色インク斑点  直径１〜２ｍｍ、ピッチ０．５〜２ｍｍ
●測定時間：日没２時間後
●測定場所：沖縄県糸満市内マンション  ２階ベランダ手すり
●測定結果
室内側面照度    ユニット  上部：  １２Ｌｕｘ
（４０２内側面）  ユニット中央部：    ８Ｌｕｘ
ユニット  下部：    ３Ｌｕｘ
室外側面照度    ユニット  上部：１００Ｌｕｘ
（２０４外側面）  ユニット中央部：  ８０Ｌｕｘ
ユニット  下部：  ５５Ｌｕｘ
【００９２】
測定結果より、本マジックミラーユニット１０１Ｄにおける室内側面と室外側面の照度差は約１０倍となった。夜間においては、図９に示す如く、外部からは、青白く光り、内部を見通すことはできなかった。（図９はグレースケールである。）また、ベランダ内部から外部を見た場合には、一部反射するが外部を見通すことが可能であった。
【００９３】
尚、日中においては、ＬＥＤ発光体２０３Ａは消灯しているが、通常のマジックミラーとしての機能が発揮され、ベランダ内部から外部を見通すことができ、外部からは鏡面となって反射し、内部を見通すことはできなかった。
【００９４】
このように、本実施の形態のマジックミラーユニットによれば、日中及び夜間のいずれにおいても、室内空間Ｖ１からの眺望景観の確保と室外空間Ｖ２からの覗き見防止とが実現される。
【００９５】
さらに、本実施の形態のマジックミラーユニット１０１Ｃでは、板状部２０１の縁部にハウジング（図１、図４及び図５参照）が取付けられておらず、窓構造４０１（図２参照）や手摺５０１（図３参照）にも適用しやすい。
【００９６】
なお、第四の実施の形態として述べたマジックミラーユニット１０１Ａ、第五の実施の形態として述べたマジックミラーユニット１０１Ｂ、及び、第六の実施の形態として述べたマジックミラーユニット１０１Ｃのいずれも、窓構造４０１（第二の実施の形態）や手摺５０１（第三の実施の形態）に適用できることは、言うまでもない。
【００９７】
また、照明部３０１（第一の実施の形態）、照明部３０１Ａ（第四の実施の形態、第五の実施の形態）を、板状部２０１の上縁部のみならず、下縁部、側縁部のいずれに設けても良い。この場合には、反射部３０１Ａｃを、照明部３０１が設けられる板状部２０１の縁部と対向する縁部に配置することになる。
【００９８】
さらに、これまでに述べたマジックミラーユニット１０１、１０１Ａ、１０１Ｂ、１０１Ｃは、手摺５０１のみならず、中空の窓構造を有したどのような被取付物（例えば、ビルの壁部、看板、店舗のショーウィンドウ）に対しても適用できる。そして、室外空間Ｖ２側をライトアップすることにより、室内空間Ｖ１からの眺望景観の確保、室外空間Ｖ２からの覗き見防止、さらには、室外空間Ｖ２から見える被取付物の外観のデザイン性の向上を図ることができる。
【符号の説明】
【００９９】
１０１、１０１Ａ、１０１Ｂ、１０１Ｃ    マジックミラーユニット
２０１      板状部
２０２ａ    第１の面
２０３      金属薄膜層
２０４      第２の面
３０１、３０１Ａ、３０１Ｃ    照明部
３０１Ａｂ  拡散部
３０１Ｂｂ  蓄光部
３０２      照明体
３０２Ａ    ＬＥＤ発光体
３０６      反射粒子
３０７      蓄光材
３０８      有機ＥＬ照明板
４０１      窓構造
４０２      壁部
５０１      手摺
５０３      壁部
Ｈ          孔部
６００      ガラス板部
６０１      拡散部
６０２      斑点
【図１】
0005288507.tif 000002
【図２】
0005288507.tif 000003
【図３】
0005288507.tif 000004
【図４】
0005288507.tif 000005
【図５】
0005288507.tif 000006
【図６】
0005288507.tif 000007
【図７】
0005288507.tif 000008
【図８】
0005288507.tif 000009
【図９】
0005288507.tif 000010